(57)【要約】【課題】  カギ所有者が識別コード登録の更新を自由にできるようにし、第三者が盗用カギ、代替カギ等を用いて勝手に開錠又は施錠されない電子錠制御装置を提供する。【解決手段】  操作されると、識別コード登録モードを設定し得るコード更新スイッチ１２を備え、カギ所有者が自己のカギ１を用い、開錠信号出力部１０より開錠信号を出力するとともに、開錠表示部１１を点灯表示している状態（開錠状態）で、新たなカギ１を磁気検出回路３に装着し、コード更新スイッチ１２を操作する。このコード更新スイッチ１２の操作信号と、開錠状態信号とにより、ＡＮＤゲート１３が論理「１」の信号を出力し、この論理「１」信号により、判別回路４より出力される新たなカギの識別コードをコード設定メモリ５に更新登録する。【選択図】      図１
2006125118.tif 000002
【特許請求の範囲】
【請求項１】
操作を許可された錠の識別コードを登録しておく識別コード登録部と、
識別コードを入力する識別コード入力部と、
この識別コード入力部より入力される識別コードと、前記識別コード登録部の識別コードとを照合し、一致が得られたら、その旨を示す信号を出力する識別コード照合部と、
この識別コード照合部より出力される信号を受けて、施錠状態と開錠状態とを交互に記憶し、それぞれ施錠信号と開錠信号を出力する施錠状態／開錠状態記憶手段と、
前記識別コード登録更新モードを指定入力する入力操作手段と、
前記開錠状態下で識別コード登録更新モードの入力操作手段の操作に基づいて、前記識別コード入力部より入力される識別コードを前記識別コード登録部に更新登録させる更新登録制御手段と、
を備えたことを特徴とする電子錠制御装置。
【請求項２】
前記識別コード入力部は、識別コード部を有するカギと、このカギの装着で前記識別コードを読み取るコード読み取り部とからなることを特徴とする請求項１記載の電子錠制御装置。
【請求項３】
前記識別コード入力部は、Ｎ極とＳ極からなる少なくとも一対の磁極を有するカギと、カギの各磁極に対応して配置され、カギの装着により磁気を検出する磁気検出素子を有する磁気検出手段と、この磁気検出手段の信号に基づいて、カギの磁気の有無と磁極を判別し、この磁気有無信号と磁極判別信号との結合により、識別コードを得る手段とからなる電子錠であることを特徴とする請求項１記載の電子錠制御装置。
【請求項４】
前記識別コード登録更新モードの入力操作手段は、電子錠制御装置本体ケースに設ける操作スイッチであることを特徴とする請求項１、請求項２、又は請求項３記載の電子錠制御装置。
【請求項５】
前記識別コード登録更新モードの入力操作手段は、カギが磁気検出手段の所定位置に所定時間挿入されたことを検出することにより、操作有と判定するものであることを特徴とする請求項３記載の電子錠制御装置。
【請求項６】
前記識別コード登録更新モードの入力操作手段は、カギが磁気検出手段のコード読み取り位置とは異なる所定位置に回転されたことを検出することにより、操作有と判定するものであることを特徴とする請求項３記載の電子錠制御装置。
【請求項７】
操作を許可された錠の識別コードを登録しておく識別コード登録部と、
識別コードを入力する識別コード入力部と、
この識別コード入力部より入力される識別コードと、前記識別コード登録部の識別コードとを照合し、一致が得られたら、その旨を示す信号を出力する識別コード照合部と、
この識別コード照合部より出力される信号を受けて、施錠状態と開錠状態とを交互に記憶し、それぞれ施錠信号と開錠信号を出力する施錠状態／開錠状態記憶手段と、
前記開錠状態下で施錠を行うために、前記識別コード入力部より識別コードが入力されると、入力された識別コードを前記識別コード登録部に更新登録させる更新登録制御手段と、
を備えたことを特徴とする電子錠制御装置。
【請求項８】
操作を許可された錠の識別コードを登録しておく識別コード登録部と、
錠が施錠されているか開錠されているかを記憶する施錠状態／開錠状態記憶手段と、
識別コードを入力する識別コード入力部と、
施錠状態で、前記識別コード入力部より入力される識別コードと前記識別コード登録部の識別コードとを照合し、一致が得られたら、前記識別コード登録部をクリアするとともに、開錠信号を出力する識別コード照合部と、
開錠状態下で、施錠を行うため前記識別コード入力部より識別コードが入力されると、入力された識別コードを前記識別コード登録部に更新登録する更新登録制御手段と、
を備えたことを特徴とする電子錠制御装置。
【発明の詳細な説明】
【技術分野】
【０００１】
この発明は、家屋、金庫、ゲーム機器等に使用される施錠又は開錠する電子錠の制御装置に関する。
【背景技術】
【０００２】
一般に電子錠として、施錠あるいは開錠を許可する者の識別番号、暗証番号等のコードを予め登録しておき、一方カギに電池や電子回路を設け、このカギのキーやスイッチを操作することにより、ＬＥＤの光や電波を用いて、そのキー固有の識別番号等のシリアルデータ信号を制御装置本体部に送信し、制御装置本体部では、受信したシリアルデータと、予め登録してある識別データとを照合し、一致が得られれば、その一致信号に基づき施錠あるいは開錠を行うものが知られている（例えば、特許文献１、特許文献２参照）。
【特許文献１】特開平１１−１４１２０４号公報
【特許文献２】特開２００１−２４７１３号公報
【発明の開示】
【発明が解決しようとする課題】
【０００３】
従来の電子錠制御装置において、予め登録される識別番号等は、固定的に登録されるものである。そのため、正当な使用者が電子錠の使用を続けてゆく中で、他の者がその電子錠を盗用し、あるいは識別番号を知得して同じもの（合カギ）を作成し、勝手に開錠あるいは施錠するなどするおそれがある。
【０００４】
この発明は上記問題点に着目してなされたものであって、キー所有者が識別コードの登録の更新を自由に出来るようにし、第三者によって勝手に開錠又は施錠されない電子錠制御装置を提供することを目的としている。
【課題を解決するための手段】
【０００５】
この発明の電子錠制御装置は、操作を許可された錠の識別コードを登録しておく識別コード登録部と、操作者の識別コードを入力する識別コード入力部と、この識別コード入力部より入力される識別コードと、前記識別コード登録部の識別コードとを照合し、一致が得られたら、その旨を示す信号を出力する識別コード照合部と、この識別コード照合部より出力される信号を受けて、施錠状態と開錠状態とを交互に記憶し、それぞれ施錠信号と開錠信号を出力する施錠状態／開錠状態記憶手段と、前記識別コード登録更新モードを指定入力する入力操作手段と、前記開錠状態下で識別コード登録更新モードの入力操作手段の操作に基づいて、前記識別コード入力部より入力される識別コードを前記識別コード登録部に更新登録させる更新登録制御手段と、を備えている。
【０００６】
この電子錠制御装置において、錠の操作を許可された者は、コード入力部より自己の識別コードを入力して、開錠した際に、新たに登録する識別コードを入力し、識別コード登録更新モードの指定入力操作手段を操作することにより、開錠状態と識別コード登録更新モードの指定操作を条件に新たに入力した識別コードを識別コード登録部に更新登録する。
【０００７】
この発明において、前記識別コード入力部は、識別コード部を有するカギと、このカギの装着で前記識別コードを読み取るコード読み取り部とからなるものを使用すると良い。
【０００８】
また、この識別コード入力部として、前記識別コード入力部は、Ｎ極とＳ極からなる少なくとも一対の磁極を有するカギと、カギの各磁極に対応して配置され、カギの装着により磁気を検出する磁気検出素子を有する磁気検出手段と、この磁気検出手段の信号に基づいて、カギの磁気の有無と磁極を判別し、この磁気有無信号と磁極判別信号との結合により、識別コードを得る手段とからなる電子錠を使用しても良い。
【０００９】
また、この発明において、前記識別コード登録更新モードの入力操作手段は、電子錠制御装置本体ケースに設ける操作スイッチを使用すると良い。
【００１０】
また、この識別コード登録更新モードの入力操作手段として、カギが磁気検出手段の所定位置に所定時間挿入されたことを検出することにより、操作有と判定するものを使用しても良い。
【００１１】
また、この識別コード登録更新モードの入力操作手段として、カギが磁気検出手段のコード読み取り位置とは異なる所定位置に回転されたことを検出することにより、操作有と判定するものを使用しても良い。
【００１２】
また、この発明の電子錠制御装置は、操作を許可された錠の識別コードを登録しておく識別コード登録部と、識別コードを入力する識別コード入力部と、この識別コード入力部より入力される識別コードと、前記識別コード登録部の識別コードとを照合し、一致が得られたら、その旨を示す信号を出力する識別コード照合部と、この識別コード照合部より出力される信号を受けて、施錠状態と開錠状態とを交互に記憶し、それぞれ施錠信号と開錠信号を出力する施錠状態／開錠状態記憶手段と、前記開錠状態下で施錠を行うために、前記識別コード入力部より識別コードが入力されると、入力された識別コードを前記識別コード登録部に更新登録させる更新登録制御手段と、を備えても良い。
【００１３】
また、この発明の電子錠制御装置は、操作を許可された錠の識別コードを登録しておく識別コード登録部と、錠が施錠されているか開錠されているかを記憶する施錠状態／開錠状態記憶手段と、識別コードを入力する識別コード入力部と、施錠状態で、前記識別コード入力部より入力される識別コードと前記識別コード登録部の識別コードとを照合し、一致が得られたら、前記識別コード登録部をクリアするとともに、開錠信号を出力する識別コード照合部と、開錠状態下で、施錠を行うため前記識別コード入力部より識別コードが入力されると、入力された識別コードを前記識別コード登録部に更新登録する更新登録制御手段と、を備えても良い。
【発明の効果】
【００１４】
この発明によれば、操作を許可された者、つまり正当なキー所有者は、開錠後、制御装置が開錠状態を記憶しているときに、識別コード登録更新モードの入力操作手段を操作することにより、新たな識別コードを識別コード登録部に更新登録できるので、例えば電子錠を紛失、盗難のため第三者が使用した場合、あるいは従業員等の関係者が以前のキーを使用する等しても、古いキーなので一致が得られず、勝手に開錠／施錠されるを防止することができる。
【００１５】
また、この発明によれば、開錠中に施錠を行う毎に識別コードを更新できるので、やはり第三者によって勝手に開錠されるのを防止できる。
【発明を実施するための最良の形態】
【００１６】
以下、実施の形態により、この発明をさらに詳細に説明する。図１は、この発明の一実施形態である電子錠制御装置の回路構成を示すブロック図である。この実施形態電子錠制御装置は、識別コードを出力し得るカギ１と、このカギ１からの識別コードを取り込んで、取り込んだ識別コードと登録してある識別コードとを照合し、一致した場合に施錠信号あるいは開錠信号を出力する制御装置本体部２とから構成されている。
【００１７】
この実施形態で使用するカギ１は、複数の磁石を有し、この磁石により識別コード信号を出力し得るものである。このカギ１については、後に詳細に説明する。制御装置本体部２は、磁気検出回路３と、判別回路４と、コード設定メモリ５と、比較一致回路６と、フリップフロップ７と、施錠信号出力部８と、施錠表示部９と、開錠信号出力部１０と、開錠表示部１１と、更にコード更新スイッチ１２と、ＡＮＤゲート１３とを備えている。
【００１８】
磁気検出回路３は、カギ１が近傍に装着されると、カギ１の備える各磁石の磁気を検出する。判別回路４は、磁気検出回路３からの磁気検出信号により、カギ１の磁気の有無と磁極を判別し、この磁気有無信号と磁極判別信号との組合せによるカギ１の識別コードを出力する。コード設定メモリ５は、ＥＥＰＲＯＭ等の不揮発性メモリが使用され、予め施錠・開錠を許可する者の識別コードを登録している。このコード設定メモリ５は、登録済の識別コードを更新可能に構成している。
【００１９】
比較一致回路６は、判別回路４より出力されるカギ１よりの識別コード信号を取り込むとともに、コード設定メモリ５より読み出した登録識別コードを入力に受け、両者を比較照合する。識別コードの一致が得られれば、その旨を示す信号を出力する。フリップフロップ７は、比較一致回路６よりの一致出力を受ける度に、セット／リセット出力が反転する。例えば、初期状態にセット状態にあるとすると、比較一致回路６よりの一致出力が入力されると、フリップフロップ７はリセットされる。リセット状態で、更に比較一致回路６より次の一致信号が入力されると、フリップフロップ７は再度セットされる。フリップフロップ７のセット出力で、施錠信号出力部８より施錠信号が出力されるとともに、施錠表示部９が点灯表示される。一方、フリップフロップ７のリセット出力で開錠信号出力部１０より開錠信号が出力されるとともに、開錠表示部１１が点灯表示される。
【００２０】
コード更新スイッチ１２は、カギ１の所有者が現在使用のカギに代えて、別の新しいカギを更新登録したい場合に使用されるスイッチである。ＡＮＤゲート１３には、フリップフロップのリセット出力、つまり開錠信号とコード更新スイッチ１２の操作信号が入力されており、この両入力信号が揃うと、その出力「１」で、判別回路４より出力される新たなカギの識別コードを、コード設定メモリ５のそれまでの識別コードに書替えて、登録更新するように構成してある。
【００２１】
この実施形態電子錠制御装置において、カギ１所有者が、それぞれ施錠されている電子錠を開錠する場合は、カギ１を制御装置本体部２の磁気検出回路３に装着（例えば、図２においてカギ１をカギ穴５１に挿入）する。磁気磁気検出回路３では、カギ１の各磁石の磁気を検出し、判別回路４に出力する。判別回路４では、磁気検出回路３よりの磁気検出信号より磁気有無、及び磁極を判別し、磁気有無信号、磁極信号の組み合わせによる識別コード信号を比較一致回路６に入力する。比較一致回路６は、コード設定メモリ５より登録識別コードを読み出し、判別回路４から入力された識別コードとを比較し、一致が取れた場合に、一致出力をフリップフロップ７に入力する。フリップフロップ７は一致信号を受けてリセットされ、施錠出力に代えて開錠信号を開錠信号出力部１０より出力する。この開錠信号により開錠する。比較一致回路６で一致が得られなければ一致出力が出ないので、フリップフロップ７はセット状態のまま、つまり施錠状態のままであり、開錠されない。
【００２２】
この実施形態電子錠制御装置において、カギ所有者は開錠状態で新しいカギの更新登録を行うことができる。開錠状態で新しいカギ１ａを磁気検出回路３に装着し、コード更新スイッチ１２を操作すると、その操作信号がＡＮＤゲート１３に入力される。ＡＮＤゲート１３の他方の入力端に開錠信号が入力されているので、ＡＮＤゲート１３の両入力は論理「１」で揃い、論理「１」の信号を出力する。このＡＮＤゲート１３の出力信号により、コード設定メモリ５を付勢し、判別回路４からの新たなカギ１ａの識別コードをコード設定メモリ５に書き込み、更新登録する。更新登録後に、第三者が古いカギを用いて開錠しようとしても、更新された識別コードと古いカギの識別コードは一致しないので、開錠されることはない。  次に、上記実施形態で使用したカギ１の具体例について、いくつか説明する。図４及び図５にそれぞれ異なるカギの斜視図を示す。これらのカギ１Ｄ〜１Ｇはいずれもツマミ２１、２２と軸２３、２４が共に非磁性体からなり、軸２３、２４に図４の（ａ）に示すような棒状の磁石Ｍ２０を複数個埋設したものである。
【００２３】
図４の（ｂ）のカギ１Ｄでは、４つの磁石Ｍ１〜Ｍ４は、そのＮ極−Ｓ極の方向が中心軸上を通る１平面内に位置するよう角柱状の軸２３に配置されている。４つの磁石Ｍ１〜Ｍ４のうち、磁石Ｍ１、Ｍ４と磁石Ｍ２、Ｍ３は、それぞれＮ極とＳ極が同方向を向いている。図４の（ｃ）のカギ１Ｅでは、角柱状の軸２３に５つの磁石Ｍ１〜Ｍ５が配置されている。磁石Ｍ１、Ｍ４と磁石Ｍ２、Ｍ３は、それぞれＮ極−Ｓ極方向が同一平面内に位置するように配置され、Ｎ極とＳ極が同方向を向き、磁石Ｍ５はＮ極−Ｓ極が単独でそれらの磁石Ｍ１〜Ｍ４とは別平面内に位置するように配置されている。磁石Ｍ１、Ｍ４と、磁石Ｍ２、Ｍ３と、磁石Ｍ５に係る３つの平面は互いに平行する。
【００２４】
図５の（ａ）のカギ１Ｆでは、ツマミ２２が円板状である上に、軸２４が円柱状になっている。円柱状の軸２４に４つの磁石Ｍ１〜Ｍ４が配置されている。磁石Ｍ１、Ｍ２と、磁石Ｍ３、Ｍ４は、それぞれＮ極−Ｓ極が同一平面内に位置するように配置され、Ｎ極とＳ極が反対方向を向いている。磁石Ｍ１、Ｍ２と、磁石Ｍ３、Ｍ４に係る２つの平面は直交する。図５の（ｂ）のカギ１Ｇは、環状のツマミ２１を有するとともに、角柱状の軸２３に前記カギ１Ｆと同様に４つの磁石Ｍ１〜Ｍ４が配置されている。
【００２５】
図６に、図４、図５に示した各カギに対応して各カギの磁石の磁気を検出する磁気検出部の回路基板構造を示している。図４の（ｂ）のカギ１Ｄに対して、図６の（ａ）に示す磁気検出部２Ａを、図４の（ｃ）のカギ１Ｅに対して、図６の（ｂ）の磁気検出部２Ｂを、図５の（ａ）（ｂ）のカギ１Ｆ、１Ｇに対しては、図６の（ｃ）の磁気検出部２ｃを組み合わせて使用する。
【００２６】
図６の（ａ）の磁気検出部２Ａは、プリント基板３１に４つの磁気検出素子３０（Ｄ１〜Ｄ４）が実装され、プリント基板３１からリードフレーム３２が突出している。磁気検出素子Ｄ１〜Ｄ４は、カギ１Ｄの４つの磁石Ｍ１〜Ｍ４に対応して一直線上に配置されている。図６の（ｂ）の磁気検出部２Ｂは、カギ１Ｅの５つの磁石Ｍ１〜Ｍ５に対応して、５つの磁気検出素子Ｄ１〜Ｄ５がプリント基板３１に実装されている。磁気検出素子Ｄ１、Ｄ４は磁気Ｍ１、Ｍ４に対応して一直線上に磁気検出素子Ｄ２、Ｄ３は磁石Ｍ２、Ｍ３に対応して別の直線上に磁気検出素子Ｄ５は磁石Ｍ５に対応して、更に別の直線上に配置されている。
【００２７】
図６の（ｃ）の磁気検出部２Ｃは、互いに直交して取り付けられたプリント基板３１ａ、３１ｂを有する。プリント基板３１ａには、カギ１Ｆ、１Ｇの磁石Ｍ１、Ｍ２に対応する磁気検出素子Ｄ１、Ｄ２が設けられ、プリント基板３１ｂにはカギ１Ｆ、１Ｇの磁石Ｍ３、Ｍ４に対応する磁気検出素子Ｄ３、Ｄ４が設けられている。つまり、磁気検出素子Ｄ１、Ｄ２と磁気検出素子Ｄ３、Ｄ４は、互いに直交する平面上に配置されている。
【００２８】
なお、上記図６において、磁気検出部２Ａ、２Ｂ、２Ｃの各プリント基板３１、３１ａ、３１ｂには、磁気検出素子Ｄ１〜Ｄ５のみが搭載される図を示しているが、これらの各プリント基板３１、３１ａ、３１ｂには、磁気検出素子Ｄ１〜Ｄ５とともに、磁気検出回路を構成する回路も併せて搭載されているが、ここでは、図示を省略している。磁気検出素子Ｄ１に係る磁気検出回路を図７に示す。他の磁気検出素子Ｄ２〜Ｄ５に係る磁気検出回路も図７に示す回路と同様である。
【００２９】
図７に示す磁気検出回路において、磁気検出素子Ｄ１としては、ホール素子を用いている。ホール素子Ｄ１は、加えられる磁気がＮ極性の場合に、＋ＩＮ信号を、Ｓ極性の場合には−ＩＮ信号を発生する。この図７に示す回路では、ホール素子Ｄ１で発生する電圧が＋ＩＮ、０、−ＩＮのいずれであるかにより、Ｎ極、無磁気、Ｓ極を判別している。
【００３０】
図７の回路において、抵抗Ｒ３と抵抗Ｒ４で分圧された分圧Ｖ0 は、
Ｖ0 ＝｛Ｒ４／（Ｒ３＋Ｒ４）｝×Ｖcc
となる。Ｎ極を検出するためのＮ極判別比較電圧をＶn とすると、
Ｖn ＝｛Ｒ６／（Ｒ５＋Ｒ６）｝×Ｖcc
となる。また、Ｓ極を検出するためのＳ極判別比較電圧をＶs とすると、
Ｖs ＝｛Ｒ８／（Ｒ７＋Ｒ８）｝×Ｖcc
となる。このとき、Ｖn ＞Ｖ0 ＞Ｖs に設定してあると、コンパレータＣ１及びＣ２の動作は、次のようになっている。
【００３１】
（イ）磁気が無いとき
磁気検出素子Ｄ１の出力ＯＵＴ２の電圧は、ホール電圧が無いため、ＯＵＴ１に印加されたバイアス電圧Ｖ0 のままである。従って、ＶD ＝Ｖ0 、Ｖn ＞ＶD であるため、コンパレータＣ１の出力Ｎ１は“Ｌ”、ＶD ＞Ｖs であるため、コンパレータＣ２の出力Ｓ１は“Ｌ”となる。また、Ｎ１、Ｓ１が共に“Ｌ”であるため、ＮＯＲ回路の出力Ｍ１は、入力が“Ｌ”と“Ｌ”であるため“Ｈ”となり、無磁気信号を発生する。
【００３２】
（ロ）Ｎ極を検出するとき
磁気検出素子Ｄ１にＮ極性の磁気が印加されると、プラスのホール電圧が発生する。この電圧を＋ＶA とすると、
ＶD ＝Ｖ0 ＋ＶA 
となり、電圧ＶD は増大する。
【００３３】
ＶD ＞Ｖn となると、コンパレータＣ１では、ポジティブ入力電圧がネガティブ入力電圧を越え、出力Ｎ１は“Ｈ”となり、コンパレータＣ１はＮ極検出信号を発生する。このとき、ＶD ＞Ｖs であるから、コンパレータＣ２は出力がそのまま“Ｌ”のままである。しかし、ＮＯＲ回路の入力は“Ｌ”と“Ｈ”となったため、その出力Ｍ１は“Ｌ”となり、無磁気信号は無くなる。
【００３４】
（ハ）Ｓ極を検出するとき
磁気検出素子Ｄ１に、Ｓ極性の磁気が印加されると、ＯＵＴ１、ＯＵＴ２間にマイナスのホール電圧が発生する。この電圧を−ＶB とすると、
ＶD ＝Ｖ0 −ＶB 
となり、電圧ＶD は減少する。
【００３５】
ＶD ＞Ｖs となると、コンパレータＣ２では、ポジティブ入力電圧がネガティブ入力電圧より大きくなるため、コンパレータＣ２の出力Ｓ１は“Ｈ”となり、コンパレータＣ２はＳ極検出信号を発生する。このとき、ＶD ＜ＶN であるから、コンパレータＣ１の出力は“Ｌ”である。また、ＮＯＲ回路の入力は“Ｌ”と“Ｈ”であるため、その出力Ｍ１は“Ｌ”となり、無磁気信号は発生しない。
【００３６】
磁気検出素子Ｄ１〜Ｄ５を、それぞれ含む５個の回路からなる磁気検出回路では、挿入されるカギ１Ｅの各磁石Ｍ１〜Ｍ５のＮ極、Ｓ極、無磁気のいずれかが磁気検出素子Ｄ１〜Ｄ５に入力され、検出される。各磁石Ｍ１〜Ｍ５毎にＮ極、Ｓ極、無磁気のいずれかが入力されるので、磁気検出回路３、判別回路４より出力される識別コードは、３5 ＝２４３個の異なるコードの中のカギ１Ｅに応じた１つのコードとなる。もし、カギ１に設ける磁石を８個、磁気検出回路３の磁気検出素子を８個とすると、３8 ＝６５６１個の異なるコードの中のカギ１に応じた１つが出力される。つまり、６５６１個の中の１つであるカギ１に応じた識別コードが装置に入力される。
【００３７】
ここで使用するカギ１Ｅ、１では、少ない数の磁石、磁気検出素子で多数の組み合わせのコードを得ることができる。因みに、光電素子や磁気リード線スイッチを利用した場合、６５６１種類の組み合わせを可能とするには、１２個の検出素子を利用しても２12＝４０９６であり、とても６５６１に満たないものとなる。まして、同じ８個にすると、＝２５６にしかならない。
【００３８】
カギ１Ｅと磁気検出部２Ｂを用いて構成した電子錠制御装置の概略斜視図を図２に示す。ここで磁気検出部２Ｂに、図１に示す制御装置本体部２の判別回路４、コード設定メモリ５、……、ＡＮＤゲート１３等の回路部を包ませたものが、図１の電子錠制御装置の外観に相当する。図２では、ケース５０にカギ１Ｅを挿入する角柱状のカギ穴５１が形成されるとともに、磁気検出部２Ｂが配置されている。ケース５０のカギ穴５１にカギ１Ｅが正しい向きで完全に挿入すれば、カギ１Ｅの磁石Ｍ１〜Ｍ５が磁気検出部２Ｂの磁気検出素子Ｄ１〜Ｄ５に対向し、施錠又は開錠が可能となる。図２においては、ケース５０の上面にコード更新スイッチ（キースイッチ）１２が設けられ、このスイッチ１２の操作信号が磁気検出部２Ｂの回路部に取り込まれるようリード線により、スイッチ１２と回路部が電気的に接続されている。
【００３９】
カギ１Ｈ（カギ１Ｆの変形例）と磁気検出部２Ａを用いて構成した電子錠制御装置の概略斜視図を図３に示す。ここで磁界検出部２Ａに、図１に示す制御装置本体部２の判定回路４、コード設定メモリ５、……、ＡＮＤゲート１３等の回路部を包ませたものが、図１の電子錠制御装置の外観に相当する。図３では、ケース５０にカギ１Ｈを挿入する円柱状のカギ穴５２が形成されるとともに、磁気検出部２Ａが配置されている。カギ１Ｈは、磁石２０の磁極がカギ１Ｄと同様に、１平面内に位置するように配置されている。ケース５０のカギ穴５２にカギ１Ｈを完全に挿入して回転させれば、カギ１Ｈの磁石Ｍ１〜Ｍ４が磁気検出部２Ａの磁気検出素子Ｄ１〜Ｄ４に対向し、施錠又は開錠が可能となる。図３においても、ケース５０の上面にコード更新スイッチ１２が設けられ、このスイッチ１２の操作信号が磁気検出部２Ａの回路部に取り込まれるようリード線によりスイッチ１２と回路部が電気的に接続されている。カギ１Ｈをカギ穴５２に入れて、図示の状態から９０°矢印方向に回転させることにより、磁石Ｍ１〜Ｍ４が磁気検出素子Ｄ１〜Ｄ４に対面し、カギ１Ｈの磁石からの磁気信号を検出する。
【００４０】
なお、上記実施形態電子錠制御装置に特徴的に設ける識別コード登録更新モードを設定するために操作するコード更新スイッチ１２として、図２、図３に示すように、機構的なキースイッチを使用する場合を説明したが、これに代えて、次に示す態様の入力操作手段を採用しても良い。
【００４１】
第１の変形例としては、例えば図４の（ｂ）に示すカギ１Ｄに、軸２３の上面に線２６を設け、一方図２のプリント回路基板３１として、図６の（ａ）に示すプリント基板３１を組み込み、電子制御装置本体部２を構成する。プリント基板３１には、図８に示す回路部を備える。この電子制御装置本体部２のカギ穴５１にカギ１Ｄの軸２３先端を線２６まで挿入し、その状態で一定時間Ｔ以上保持する。カギ１Ｄを線２６まで挿入したことにより、磁石Ｍ１が磁気検出素子Ｄ４に対面し、その他の磁気検出素子Ｄ１〜Ｄ３には磁石が対面しない。したがって、磁気検出素子Ｄ４のみ論理的に「１」で、他の磁気検出素子Ｄ１〜Ｄ３の出力は「０」となり、ゲート回路２７は論理「１」を出力する。このゲート回路２２の出力をタイマ２８に入力する。タイマ２８は時間Ｔの経過で出力「１」を出し、その時点でゲート回路２９は論理「１」を出力する。この一定時間保持される論理「１」の信号のあるとき、カギを所定の位置に入れると、この論理信号により、差し込まれたカギのコードを設定コードとしてメモリに更新される。
【００４２】
第２の変形例として、回転式のカギを施錠又は開錠のために回転する方向とは逆方向に所定角度回転させたときに、この逆方向回転検出を識別コード登録更新モードの設定信号とする。例えば、図３に示すカギ１Ｈの先端方向から見て、図９に示すように、軸２４の磁石２０に直角に小磁石２５を設け、一方、制御装置本体部２の底面にプリント基板に搭載した磁気検出素子を設け、カギ１Ｈ、軸２４をカギ穴５２に完全挿入し、その後、カギ１Ｈを図３の矢印方向とは反対方向に９０°回転する。この９０°回転により、磁石２５がケース５０の内底面に新たに設けたプリント基板上の磁気検出素子に対面し、磁気検出素子は磁石２５の磁気を検出する。この磁気検出素子の磁気検出信号を一定時間保持し、その後にカギを所定の角度に回転させて完全に差し込むと、そのカギのコードを設定コードとしてメモリに更新される。
【００４３】
上記実施形態の説明において、操作者の識別コードを入力する識別コード入力手段として、カギ、特に複数の磁石を備えるカギを用いる場合について説明したが、この発明はこのような磁石を用いたカギのみならず、複数の発光素子、複数の磁気リードスイッチなどを有するカギを用いて入力する場合、キーボタンを操作して、無線等で識別コードを送信入力する場合などにも広く適用することができる。
【００４４】
更に、この発明の他の実施形態として、コード更新スイッチを設けることなく、開錠状態において、施錠のためにカギが入力されると、カギによって施錠を行うとともに、その施錠用に入力したカギの識別コードを更新登録しても良い。具体的には、例えば図１の回路において、コード更新スイッチ１２を省き、フリップフロップ７の開錠出力信号による開錠状態で、施錠のためのカギ１が入力されると、開錠状態と施錠のカギ１の入力とを条件に新しく入力されたそのカギ１の識別コードをコード設定メモリ５に更新登録する。
【００４５】
他の例として錠が施錠されているか開錠されているかの別を記憶する施錠状態／開錠状態記憶手段を備え、施錠状態で開錠のためにカギが入れられると、識別コード登録部の識別コードと入力されたカギの識別コードとを比較し、一致が得られたら、識別コード登録部をクリアするとともに、開錠信号を施錠する。この開錠状態で施錠のためにカギが入れられると、比較することなく、施錠信号を出力するとともに、入力されたカギの識別コードを識別コード登録部に更新登録するようにしても良い。
【図面の簡単な説明】
【００４６】
【図１】この発明の一実施形態である電子錠制御装置の回路構成を示すブロック図である。
【図２】同実施形態電子錠制御装置の外観斜視図である。
【図３】他の実施形態電子錠制御装置の外観斜視図である。
【図４】上記実施形態電子錠制御装置に使用されるカギを示す図であって、（ａ）はカギに埋め込む磁石の斜視図、（ｂ）（ｃ）は使用されるカギの一例及び別例を示す斜視図である。
【図５】上記実施形態電子錠制御装置に使用されるカギを示す図であって、（ａ）（ｂ）は使用されるカギの更に別例を示す斜視図である。
【図６】上記実施形態電子錠制御装置に使用される磁気検出部を示す図であって、（ａ）は図４の（ｂ）のカギに対応する磁気検出部の斜視図、（ｃ）は図４の（ｃ）のカギに対応する磁気検出部の斜視図、（ｃ）は図５の（ａ）（ｂ）のカギに対応する磁気検出部の斜視図である。
【図７】１個の磁気検出素子による無磁気、Ｓ極、Ｎ極の磁気を検出する磁気検出回路を示す回路図である。
【図８】上記実施形態電子錠制御装置において、識別コード登録更新モードの設定手段の他の例を説明する回路図である。
【図９】上記実施形態電子錠制御装置において、識別コード登録更新モードの設定手段の更に他の例を説明するカギの概略図である。
【符号の説明】
【００４７】
１              カギ
２              電子錠制御装置本体部
３              磁気検出回路
４              判別回路
５              コード設定メモリ
６              比較一致回路
７              フリップフロップ
８              施錠信号出力部
９              施錠表示部
１０            開錠信号出力部
１１            開錠表示部
１２            コード更新スイッチ
１３            ＡＮＤゲート
【図１】
2006125118.tif 000003
【図２】
2006125118.tif 000004
【図３】
2006125118.tif 000005
【図４】
2006125118.tif 000006
【図５】
2006125118.tif 000007
【図６】
2006125118.tif 000008
【図７】
2006125118.tif 000009
【図８】
2006125118.tif 000010
【図９】
2006125118.tif 000011